(57)【要約】【課題】外観が大きくならず使用時に邪魔にならず、カビの発生や汚れの付着の低減ができ、さらには、安価で簡単に取付けることのできる壁付き水栓の断熱カバーを提供することを目的とする。【解決手段】給湯管が接続される水栓本体の略裏面部を断熱カバーで被われた壁付き水栓であって、前記壁付き水栓は裏面側に給湯継ぎ手及び給水継ぎ手である外周がねじを切った突起部を有し、かつ前記断熱カバーは水栓本体の略裏面部に倣った形状を有する裏面部と開口部を有したものであり、前記開口部に前記突起部を貫通して水栓本体と脚部ナットにて前記断熱カバーを挟み込むように固定したことを特徴とする。【選択図】  図２
2004239020.tif 000002
【特許請求の範囲】
【請求項１】
給湯管が接続される水栓本体の略裏面部を断熱カバーで被われた壁付き水栓であって、前記壁付き水栓は裏面側に給湯継ぎ手及び給水継ぎ手である外周がねじを切った突起部を有し、かつ前記断熱カバーは水栓本体の略裏面部に倣った形状を有する裏面部と開口部を有したものであり、前記開口部に前記突起部を貫通して水栓本体と脚部ナットにて前記断熱カバーを挟み込むように固定したことを特徴とする断熱カバー付壁付き水栓。
【請求項２】
前記断熱カバーが、前記裏面部の水栓本体側の外周端部及び中央部に縦方向にリブを有することを特徴とする請求項１に記載の断熱カバー付壁付き水栓。
【請求項３】
水栓本体の略裏面部に倣った形状を有する裏面部と開口部を形成したものであり、前記裏面部の水栓本体側の外周端部及び中央部に縦方向にリブが形成されていることを特徴とする壁付き水栓の断熱カバー。
【発明の詳細な説明】
【０００１】
【発明の属する技術分野】
本発明は、断熱カバー付壁付き水栓および壁付き水栓の断熱カバーに関する。
【０００２】
【従来の技術】
従来水栓においては、給湯管から供給される湯が高温の場合、給湯管ならびに水栓本体内の湯水混合部までの給湯路の外装が熱くなってしまう。そのため、少なくともその部分を断熱カバー等で覆うことで、使用者が手で触れても熱く感じないように構成したものが提案されている。
たとえば、従来から水栓に触っても使用者が火傷をしない様に、湯側の取付脚部に断熱カバーを被せたものや水栓本体を断熱カバーで全て被ったものなどがある。（例えば、特許文献１参照。）
特に、壁付き水栓の場合、水栓本体と取付脚部が個々に形成され壁面部内の給湯管、給水管に取付脚部を取付け、取付脚部のナット部と本体ねじ部の結合によって取付けられる。そしてこのような壁付き水栓の場合、水栓本体を全て断熱カバーで被っているものも提案されている。（例えば、特許文献２参照。）
【０００３】
【特許文献１】
特開平１１−２００４３９号公報
【特許文献２】
特開平１０−１１５３９３号公報
【０００４】
【発明が解決しようとする課題】
しかしながら、水栓本体を全て断熱カバーで被った場合、別途部品が必要になるためコストアップにつながったり、断熱カバー自体が大きくなってしまい、意匠性を低下したり、使用時に邪魔になり水栓自体の操作性が低下するおそれがある。
また、水栓本体を全て断熱カバーで被うため、水栓本体と断熱カバーと間に湯水が停滞する箇所が必ずでき、該箇所にかびの発生や汚れの付着が生じる。
そこで、本発明では上記の問題点を解決するため、水栓本体を全て断熱カバーで被わないことにより、外観が大きくならず使用時に邪魔にならず、カビの発生や汚れの付着の低減ができ、さらには、安価で簡単に取付けることのできる壁付き水栓の断熱カバーを提供することを目的とする。
【０００５】
【課題を解決するための手段】
本発明の請求項１では、給湯管が接続される水栓本体の略裏面部を断熱カバーで被われた壁付き水栓であって、前記壁付き水栓は断熱カバーで被われる裏面側に給湯継ぎ手及び給水継ぎ手である外周がねじを切った突起部を有し、かつ前記断熱カバーは水栓本体の略裏面部に倣った形状を有する裏面部と開口部を有したものであり、前記開口部に前記突起部を貫通して水栓本体と脚部ナットにて前記断熱カバーを挟み込むように固定したことを特徴とする断熱カバー付壁付き水栓とした。
【０００６】
これにより、水栓本体全体を被わずに断熱すべき略裏面部を断熱カバーで被うことができ、外観が大きくならず使用時に邪魔にならなくて済む。そして、既存の壁付き水栓の形状を変える事なく、安価で簡単に断熱カバーを取り付けることのでき、使用者が手で触れても熱く感じることがない。
【０００７】
本発明の請求項２では、前記断熱カバーが、前記裏面部の水栓本体側の外周端部及び中央部に縦方向にリブを有することを特徴とする請求項１に記載の断熱カバー付壁付き水栓とした。
【０００８】
これにより、湯水が断熱カバーと水栓本体との隙間に入り込んだとしても、必ず縦方向のリブにそって下側の底部の方から断熱カバーの外へ流れる。そのため、断熱カバーと水栓本体との隙間に湯水が停滞することがなく、かびの発生や汚れの付着を低減することができる。
【０００９】
本発明の請求項３では、水栓本体の略裏面部に倣った形状を有する裏面部と開口部を形成したものであり、前記裏面部の水栓本体側の外周端部及び中央部に縦方向にリブが形成されていることを特徴とする壁付き水栓の断熱カバーとした。
【００１０】
これにより、湯水が断熱カバーと水栓本体との隙間に入り込んだとしても、必ず縦方向のリブに沿って下側の底部の方から断熱カバーの外へ流れ出る。そのため、断熱カバーと水栓本体との隙間に湯水が停滞することがなく、かびの発生や汚れの付着を低減することができる。
【００１１】
【発明の実施の形態】
以下に図面を参照して本発明をより具体的に説明する。
図１は浴室８の洗い場１０側のカウンター７前面に壁付き水栓１を設置した状態図である。図２は図１に示す壁付き水栓１の拡大図である。図３は本発明の一つの実施の形態である壁付き水栓１の断熱カバー１７である。図４は図３の断熱カバー１７を壁付き水栓１へ取付け手順を示す図である。
【００１２】
図１に示すように、浴室８は浴槽９と洗い場１０とで大きく２分されている。また、浴槽９と洗い場１０に沿った一壁面にはカウンター７が設置されている。
そして、このカウンター７の前面には壁付き水栓１が設けられている。
なお、壁付き水栓１とは、図１に示すように、給水管および給湯管が水栓を設置するカウンターや壁面内に収納されており水栓本体裏面の取付脚部１１、２３と給水管および給湯管とを接続する部分がカウンター７前面や壁面に設置される湯水混合水栓のことをいう。
【００１３】
また、壁付き水栓１の左側方には、温度調節ハンドル２が設けられており、壁付き水栓１の右側方には、流量調整ハンドル３が設けられている。
さらに、取付脚部１１、２３の下方には、給水、給湯内に混入した異物を除去するためのフィルターを取り付ける開口部１２と止水栓１３がそれぞれ設けられている。
【００１４】
また、水栓本体１Ａの下方中央には、カラン４が取り付けられており、水栓本体１Ａの裏面部にはシャワーノズル６に連結されたシャワーホース５が接続されている。そして、カラン４からの吐水とシャワーノズル６からの吐水の切替えは、流量調節ハンドル３にて行う。流量調節ハンドル３を操作中心に位置させた場合、シャワーノズル６からもカラン４からも止水した状態となる。そして、操作中心位置から一方に流量調節ハンドル３を回転させるとカラン４からの吐水流量が増大し、操作中心位置から他方に流量調節ハンドル３を回転させるとシャワーノズル６からの吐水流量が増大するように構成されている。
【００１５】
給湯管自体はカウンター７や壁面内に収納されているため、直接使用者が触れることはない。
また、給湯管から流れてきた熱湯は取付脚部２３を通じて水栓本体１Ａに入り、水栓本体１Ａの湯水混合部で湯水が混合される。そのため、湯水混合部までの給湯路は、熱湯が通ることになる。そのため、水栓本体１Ａに形成されている給湯路の外装は、熱湯が通ることにより、熱が伝達されて熱くなるおそれがある。特に、壁付き水栓の場合、裏面部左側は給湯路が位置する場所であり、裏面部左側が熱くなるおそれがある。
なお、裏面部とは水栓本体１Ａをカウンター７前面に取り付けた場合、背面を示す。
【００１６】
次に、図３および図４に一つの実施形態である断熱カバー１７を示し、断熱カバー１７について説明する。図３（ａ）は断熱カバー１７の斜視図、図３（ｂ）は底面図である。
【００１７】
図３の断熱カバー１７は、水栓本体１Ａの略裏面部に倣った形状である半丸形状に表面部１９が構成されている。略裏面部とは、給湯管が接続された給湯継ぎ手付近の熱湯による水栓本体１Ａ外装面が熱くなる部位であり、図２に示すような壁付き水栓では左上面から左裏面を被った部位である。
【００１８】
さらに、断熱カバー１７の裏面部２０には、中央部にリブ２１が縦方向に形成されており、外周の端部にもリブ２４が縦方向に形成されている。底部２２にはリブ２１、２４を形成していない構成となっている。
【００１９】
このように、リブ２１、２４を形成したのは、断熱カバー１７と水栓本体１Ａとの隙間に湯水が入り込んだとき必ず下側（断熱カバー１７の底部２２側）から断熱カバー１７の外へ流れ出るようにするためである。このようにすることで、断熱カバー１７と水栓本体１Ａとの間に湯水が停滞することがなく、かびの発生や汚れの付着が低減することができる。
【００２０】
また、断熱カバー１７は耐熱樹脂で成形されるため、このようにリブ２１、２４を形成し、底部２２にリブ２１、２４を形成しないようにすることで、一体成形が可能なように型抜きが容易となり、成形性を向上することができる。これにより安価に断熱カバー１７を製造できる。
【００２１】
さらに、リブ２１、２４を形成することで、水栓本体１Ａに取り付けたときに、断熱カバー１７と水栓本体１Ａとの間に隙間が形成されて空気層が生じ、熱の伝達を抑制することができる。そのため、さらに一層、断熱カバー１７を手で触れても熱く感じることはない。
【００２２】
図４には、図３に示した断熱カバー１７の取り付け手順を、水栓本体１Ａの裏面側から見た状態を示す。
まず、断熱カバー１７を水栓本体１Ａ裏面側に給湯継ぎ手の突起部である取付部１５に貫通するように取り付ける。なお、取付部１５の外周部にはねじが切ってある。
【００２３】
そして、水栓本体１Ａの形状に倣った裏面部２０のリブ２１，２４を密着させ、取付脚部２３のナット部１６にパッキン１４を入れ、取付脚部２３のナット部１６を水栓本体１Ａ裏面の取付部１５にねじ込み、固定する。
【００２４】
この実施形態において、取付部１５は水栓本体１Ａの軸線上の中央部から水平に延設されているが、斜めに設置された場合でも取付部用開口部１８を斜めにすれば対応可能となることは言うまでも無いことである。
【００２５】
【発明の効果】
本発明の請求項１では、給湯管が接続される水栓本体の略裏面部を断熱カバーで被われた壁付き水栓であって、前記壁付き水栓は裏面側に給湯継ぎ手及び給水継ぎ手である外周がねじを切った突起部を有し、かつ前記断熱カバーは水栓本体の略裏面部に倣った形状を有する裏面部と開口部を有したものであり、前記開口部に前記突起部を貫通して水栓本体と脚部ナットにて前記断熱カバーを挟み込むように固定したことに特徴を有する。
これにより、水栓本体全体を被わずに断熱すべき略裏面部を断熱カバーで被うことができ、外観が大きくならず使用時に邪魔にならなくて済む。そして、既存の壁付き水栓の形状を変える事なく、安価で簡単に断熱カバーを取り付けることのでき、使用者が手で触れても熱く感じることがない。
本発明の請求項２では、前記断熱カバーが、前記裏面部の水栓本体側の外周端部及び中央部に縦方向にリブを有することを特徴とする。
これにより、湯水が断熱カバーと水栓本体との隙間に入り込んだとしても、必ず縦方向のリブにそって下側の底部の方から断熱カバーの外へ流れる。そのため、断熱カバーと水栓本体との隙間に湯水が停滞することがなく、かびの発生や汚れの付着を低減することができる。
本発明の請求項３では、水栓本体の略裏面部に倣った形状を有する裏面部と開口部を形成したものであり、前記裏面部の水栓本体側の外周端部及び中央部に縦方向にリブが形成されていることを特徴とする壁付き水栓の断熱カバーとした。これにより、湯水が断熱カバーと水栓本体との隙間に入り込んだとしても、必ず縦方向のリブに沿って下側の底部の方から断熱カバーの外へ流れ出る。そのため、断熱カバーと水栓本体との隙間に湯水が停滞することがなく、かびの発生や汚れの付着を低減することができる。
【図面の簡単な説明】
【図１】本件発明の一実施形態である壁付き水栓を浴室の洗い場側のカウンター前面に設置した状態図。
【図２】図１に示す壁付き水栓の拡大図。
【図３】本件発明の一実施の形態である壁付き水栓の断熱カバー。
【図４】本発明の一実施形態である断熱カバーを壁付き水栓に取り付け手順を示す図。
【符号の説明】
１：壁付き水栓
１Ａ：水栓本体
２：温度調整ハンドル
３：流量調整ハンドル
４：カラン
５：シャワーホース
６：シャワーノズル
７：カウンター
８：浴室
９：浴槽
１０：洗い場
１１：取付脚部
１２：フィルター用開口部
１３：止水栓
１４：パッキン
１５：取付部
１６：ナット部
１７：断熱カバー
１８：取付部用開口部
１９：表面部
２０：裏面部
２１：リブ
２２：底部
２３：取付脚部
２４：リブ
【図１】
2004239020.tif 000003
【図２】
2004239020.tif 000004
【図３】
2004239020.tif 000005
【図４】
2004239020.tif 000006